(57)【要約】【課題】一方のＳＳ７網から他方のＳＳ７網へ、網管理信号を転送することを可能にすることである。【解決手段】第一のＳＳ７網に属する第一の交換機と、第二のＳＳ７網に属する第二の交換機と、前記第一のＳＳ７網と、前記第二のＳＳ７網とを接続する関門信号中継装置とを具備する異網間における網管理信号転送方式によって解決する。前記第一の交換機は、第一のＳＳ７網において使用される実体ポイントコードと、前記第二のＳＳ７網において使用される仮想ポイントコードとを有する。前記第二の交換機は、前記第二のＳＳ７網において使用される実体ポイントコードと、前記第一のＳＳ７網において使用される仮想ポイントコードとを有する。【選択図】図５
2008301398.tif 000002
【特許請求の範囲】
【請求項１】
第一のＳＳ７（Ｓｉｇｎａｌｌｉｎｇ  Ｓｙｓｔｅｍ  ７）網に属する第一の交換機と、
第二のＳＳ７網に属する第二の交換機と、
前記第一のＳＳ７網と、前記第二のＳＳ７網とを接続する関門信号中継装置とを具備し、
前記第一の交換機は、
第一のＳＳ７網において使用される実体ポイントコードと、前記第二のＳＳ７網において使用される仮想ポイントコードとを有し、
前記第二の交換機は、
前記第二のＳＳ７網において使用される実体ポイントコードと、前記第一のＳＳ７網において使用される仮想ポイントコードとを有する
異網間における網管理信号転送方式。
【請求項２】
前記第一の交換機から前記第二の交換機へ網管理信号を通知する場合には、
前記第一の交換機は、
宛先として、前記第二の交換機が有する前記仮想ポイントコードを使用して、前記網管理信号を送信し、
前記関門信号中継装置は、
前記網管理信号を受信すると、宛先を、前記第二の交換機が有する前記仮想ポイントコードから前記第二の交換機が有する前記実体ポイントコードへ変換し、
前記第二の交換機は、
宛先を前記第二の交換機が有する前記実体ポイントコードとした前記網管理信号を受信する
請求項１記載の異網間における網管理信号転送方式。
【請求項３】
前記関門信号中継装置は、
前記仮想ポイントコードを検索するための第一のフィールドと、前記仮想ポイントコードに対応する前記実体ポイントコードを保持する第二のフィールドとを有するレコードからなるポイントコード変換テーブルを具備すると共に、
前記網管理信号を受信すると、前記ポイントコード変換テーブルを参照し、前記網管理信号の宛先と、前記第一のフィールドに保持された仮想ポイントコードとが一致するレコードを検索し、一致するレコードが検索されたときには、宛先を、検索されたレコードの前記第一のフィールドに保持された前記仮想ポイントコードから前記第二のフィールドに保持された前記実体ポイントコードへ変換する
請求項２記載の異網間における網管理信号転送方式。
【請求項４】
前記第一の交換機は、
発信元として、前記第一の交換機が有する前記実体ポイントコードを使用して、前記網管理信号を送信し、
前記関門信号中継装置は、
前記網管理信号を受信すると、発信元を、前記第一の交換機が有する前記実体ポイントコードから前記第一の交換機が有する前記仮想ポイントコードへ変換し、
前記第二の交換機は、
発信元を前記第一の交換機が有する前記仮想ポイントコードとした前記網管理信号を受信する
請求項３記載の異網間における網管理信号転送方式。
【請求項５】
前記関門信号中継装置は、
前記網管理信号を受信すると、前記ポイントコード変換テーブルを参照し、前記網管理信号の発信元と、前記第二のフィールドに保持された実体ポイントコードとが一致するレコードを検索し、発信元を、検索されたレコードの前記第二のフィールドに保持された前記実体ポイントコードから、前記第一のフィールドに保持された前記仮想ポイントコードへ変換する
請求項４記載の異網間における網管理信号転送方式。
【請求項６】
前記関門信号中継装置は、
前記網管理信号の宛先として使用された仮想ポイントコードを変換する場合に、前記第一のＳＳ７網で前記網管理信号をデータリング層において送受信するために使用される第一のプロトコルと、前記第二のＳＳ７網で前記網管理信号をデータリング層において送受信するために使用される第二のプロトコルとが異なる場合には、前記網管理信号をデータリング層において転送するプロトコルを、前記第一のプロトコルから前記第二のプロトコルへ変換する
請求項２〜５いずれか１項に記載の異網間における網管理信号転送方式。
【請求項７】
前記ポイントコード変換テーブルのレコードは、
前記第二のフィールドに保持された前記実体ポイントコードにより網管理信号をデータリング層において転送するためのプロトコルを保持する第三のフィールドを更に有し、
前記関門信号中継装置は、
前記網管理信号を受信すると、前記ポイントコード変換テーブルを参照し、前記網管理信号の宛先と、前記第一のフィールドに保持された仮想ポイントコードとが一致するレコードを検索し、一致するレコードが検索されたときには、前記網管理信号をデータリング層において転送するプロトコルを、検索されたレコードの前記第三のフィールドに保持されたプロトコルへ変換する
請求項６記載の異網間における網管理信号転送方式。
【請求項８】
第一のＳＳ７網に属する第一の交換機に、前記第一のＳＳ７網において使用される実体ポイントコードを割り当てるステップと、
前記第一の交換機に、第二のＳＳ７網において使用される仮想ポイントコードを割り当てるステップと、
前記第二のＳＳ７網に属する第二の交換機から前記第一の交換機へ、宛先として、前記仮想ポイントコードを使用して、前記網管理信号を発信するステップと、
前記第一のＳＳ７網と、前記第二のＳＳ７網との関門において、前記網管理信号の宛先として使用された前記第一の交換機の前記仮想ポイントコードを、前記第一の交換機の前記実体ポイントコードに変換するステップと、
宛先として、前記実体ポイントコードを使用して、前記網管理信号を、前記第一のＳＳ７網において転送するステップと
を有する異網間における網管理信号転送方法。
【請求項９】
前記変換するステップは、
前記仮想ポイントコードを検索するための第一のフィールドと、前記仮想ポイントコードに対応する前記実体ポイントコードを保持する第二のフィールドとを有するレコードからなるポイントコード変換テーブルを参照するステップと、
前記網管理信号の宛先と、前記第一のフィールドに保持された仮想ポイントコードとが一致するレコードを検索するステップと、
一致するレコードが検索されたときには、宛先を、検索されたレコードの前記第二のフィールドに保持された前記実体ポイントコードへ変換するステップとを有する
請求項８記載の異網間における網管理信号転送方法。
【請求項１０】
前記第二の交換機に、前記第二のＳＳ７網において使用される実体ポイントコードを割り当てるステップと、
前記第二の交換機に、前記第一のＳＳ７網において使用される仮想ポイントコードを割り当てるステップとを更に有し、
前記発信するステップは、
発信元として、前記第二の交換機が有する前記実体ポイントコードを使用して、前記網管理信号を発信し、
前記変換するステップは、
前記第一のＳＳ７網と、前記第二のＳＳ７網との関門において、前記網管理信号の発信元として使用された前記第二の交換機が有する前記実体ポイントコードを、前記第二の交換機が有する前記仮想ポイントコードに変換し、
前記転送するステップは、
発信元として、前記第二の交換機が有する前記仮想ポイントコードを使用して、前記網管理信号を、前記第一のＳＳ７網において転送する
請求項８又は９記載の異網間における網管理信号転送方法。
【請求項１１】
前記変換するステップは、
前記網管理信号の発信元と、前記第二のフィールドに保持された実体ポイントコードとが一致するレコードを検索するステップと、
発信元を、検索されたレコードの前記第二のフィールドに保持された前記実体ポイントコードから、前記第一のフィールドに保持された前記仮想ポイントコードへ変換するステップとを有する
請求項１０記載の異網間における網管理信号転送方法。
【請求項１２】
前記変換するステップは、
前記第一のＳＳ７網で前記網管理信号をデータリンク層レベルにおいて送受信するために使用される第一のプロトコルと、前記第二のＳＳ７網で前記網管理信号をデータリンク層レベルにおいて送受信するために使用される第二のプロトコルとが異なる場合には、前記網管理信号をデータリンク層レベルにおいて転送するプロトコルを、前記第二のプロトコルから前記第一のプロトコルへ変換するステップを有する
請求項８〜１１いずれか１項に記載の異網間における網管理信号転送方法。
【請求項１３】
前記変換するステップは、
前記第二のフィールドに保持された前記実体ポイントコードにより網管理信号をデータリンク層レベルにおいて転送するためのプロトコルを保持する第三のフィールドを更に有するレコードからなるポイントコード変換テーブルを参照するステップと、
前記網管理信号の宛先と、前記第一のフィールドに保持された仮想ポイントコードとが一致するレコードを検索するステップと、
一致するレコードが検索されたときには、前記網管理信号をデータリンク層レベルにおいて転送するプロトコルを、検索されたレコードの前記第三のフィールドに保持されたプロトコルへ変換するステップとを有する
請求項１２記載の異網間における網管理信号転送方法。
【請求項１４】
第一のＳＳ７網における第一のプロトコルに従って、データリンク層レベルの通信処理を行う第一のプロトコル処理部と、
第二のＳＳ７網における第二のプロトコルに従って、データリンク層レベルの通信処理を行う第二のプロトコル処理部と、
データリンク層レベルにおいて使用されるポイントコードの変換を行う信号変換処理部とを具備し、
前記信号変換処理部は、
網管理信号の通信処理を行った前記第一のプロトコル処理部から、前記網管理信号を受信する受信部と、
前記網管理信号の宛先が、前記第二のＳＳ７網に属する交換機であった場合に、前記網管理信号の宛先として使用されている仮想ポイントコードを、実体ポイントコードに変換するポイントコード変換部と、
ポイントコードの変換を行った前記網管理信号を、前記第二のプロトコル処理部へ送信する送信部とを有する
関門信号中継装置。
【請求項１５】
前記仮想ポイントコードを検索するための第一のフィールドと、前記仮想ポイントコードに対応する前記実体ポイントコードを保持する第二のフィールドとを有するレコードからなるポイントコード変換テーブルを更に有し、
前記ポイントコード変換部は、
前記ポイントコード変換テーブルを参照し、前記網管理信号の宛先と、前記第一のフィールドに保持された仮想ポイントコードとが一致するレコードを検索し、一致するレコードが検索されたときには、宛先を、検索されたレコードの前記第一のフィールドに保持された前記仮想ポイントコードから、前記第二のフィールドに保持された前記実体ポイントコードへ変換する
請求項１４記載の関門信号中継装置。
【請求項１６】
前記ポイントコード変換部は、
前記網管理信号の宛先が、前記第二のＳＳ７網に属する交換機であった場合に、前記網管理信号を発信した    他の交換機が、発信元として、前記他の交換機が有する実体ポイントコードを使用して、前記網管理信号を送信していたときには、前記網管理信号の発信元を、前記他の交換機が有する前記実体ポイントコードから前記他の交換機が有する仮想ポイントコードへ変換する
請求項１４又は１５記載の関門信号中継装置。
【請求項１７】
前記ポイントコード変換部は、
前記ポイントコード変換テーブルを参照し、前記網管理信号の発信元と、前記第二のフィールドに保持された実体ポイントコードとが一致するレコードを検索し、発信元を、検索されたレコードの前記第二のフィールドに保持された実体ポイントコードから、前記第一のフィールドに保持された仮想ポイントコードへ変換する
請求項１６記載の関門信号中継装置。
【請求項１８】
前記ポイントコード変換テーブルのレコードは、
前記第二のフィールドに保持された前記実体ポイントコードにより網管理信号をデータリンク層レベルにおいて転送するためのプロトコルを保持する第三のフィールドを更に有し、
前記ポイントコード変換部は、
前記第三のフィールドを更に有するポイントコード変換テーブルを参照し、前記網管理信号の宛先と、前記第一のフィールドに保持された仮想ポイントコードとが一致するレコードを検索し、一致するレコードが検索されたときには、検索されたレコードの前記第三のフィールドに保持されたプロトコルを前記送信部へ通知し、
前記送信部は、
通知された前記プロトコルに基づいて、ポイントコードの変換を行った前記網管理信号を、前記第二のプロトコル処理部へ送信する
請求項１５〜１７いずれか１項に記載の関門信号中継装置。
【発明の詳細な説明】
【技術分野】
【０００１】
本発明は、異網間における網管理信号転送方式、方法、及び、関門信号中継装置に関する。
【背景技術】
【０００２】
加入電話ネットワークを制御する信号方式として、同一の信号線に音声信号と制御信号とを通す個別線信号方式と、通話用の信号線と制御用の信号線とを別々に設ける共通線信号方式とが知られる。ＳＳ７（Ｓｉｇｎａｌｌｉｎｇ  Ｓｙｓｔｅｍ  ７）は、共通線信号方式の一つであり、その通信規約群は、大きく分けて、経路情報を管理するプロトコル（ＭＴＰ：Ｍｅｓｓａｇｅ  Ｔｒａｎｓｆｅｒ  Ｐａｒｔなど）と、接続処理を行なうプロトコル群（ＳＣＣＰ：Ｓｉｇｎａｌｉｎｇ  Ｃｏｎｔｒｏｌ  Ｃｏｎｎｅｃｔｉｏｎ  Ｐａｒｔ／ＩＳＵＰ：Ｉｎｔｅｇｒａｔｅｄ  Ｓｅｒｖｉｃｅｓ  Ｄｉｇｉｔａｌ  Ｎｅｔｗｏｒｋ  Ｕｓｅｒ  Ｐａｒｔ／ＴＵＰ：Ｔｅｌｅｐｈｏｎｅ  Ｕｓｅｒ  Ｐａｒｔなど）とに分けることができる。ＯＳＩ（Ｏｐｅｎ  Ｓｙｓｔｅｍｓ  Ｉｎｔｅｒｃｏｎｎｅｃｔｉｏｎ）階層モデルでは、ＭＴＰはデータリンク層に属し、ＳＣＣＰはネットワーク層に属する。
【０００３】
異なるキャリアに属する二つのＳＳ７網の間で、ＳＳ７メッセージ信号を転送する場合には、関門信号中継装置（ＧＷ：Ｇａｔｅｗａｙ）においてＳＳ７メッセージ信号を一度終端する。そして、ＳＣＣＰなど、上位のプロトコルにて、データリンク層で使用される宛先ポイントコード（ＤＰＣ：Ｄｅｓｔｉｎａｔｉｏｎ  Ｐｏｉｎｔ  Ｃｏｄｅ）を振り直すと共に、相手側ＳＳ７網のプロトコルに合わせてＳＳ７メッセージ信号のフォーマットを変換し、ＳＳ７メッセージ信号を転送する。
【０００４】
ＳＳ７網には、上位レベルのアプリケーション間で送受信されるＳＳ７メッセージ信号のほか、転送禁止（ＴＦＰ：Ｔｒａｎｓｆｅｒ−ｐｒｏｈｉｂｉｔｅｄ）信号、転送許可（ＴＦＡ：Ｔｒａｎｓｆｅｒ−ａｌｌｏｗｅｄ）信号などの網管理信号も流れている。網管理信号は、ＳＴＭ（Ｓｙｎｃｈｒｏｎｏｕｓ  Ｔｒａｎｓｆｅｒ  Ｍｏｄｅ）の場合、データリンク層に属するＭＴＰに従って処理され、ＳＳ７網内の交換機や信号局（ＳＥＰ：Ｓｉｇｎａｌ  Ｅｎｄ  Ｐｏｉｎｔ）へ転送される。複数のＳＳ７網を関門信号中継装置によって接続した場合、関門信号中継装置はそれぞれのＳＳ７網において信号局として動作する。このとき、一方のＳＳ７網から網管理信号が送信されると、関門信号中継装置は、この網管理信号を終端し、他方のＳＳ７網へ転送することは無い。そのため、異なるＳＳ７網を関門信号中継装置によって接続した場合には、他方のＳＳ７網は、一方のＳＳ７網の状態を認知することができない。よって、障害時や輻輳発生時において、他方のＳＳ７網内で、無効なＳＳ７メッセージ信号が発信され、転送されるなどの弊害があった。
【０００５】
図１は、ＳＳ７網Ａと、ＳＳ７網Ｂとを関門信号中継装置１０で接続したネットワークを示している。図１において、ＳＳ７網Ａには、交換機αが設けられている。交換機αのポイントコード（ＰＣ：Ｐｏｉｎｔ  Ｃｏｄｅ）は”Ａ”である。また、ＳＳ７網Ｂには、交換機βと信号局γとが設けられている。交換機βのポイントコードは“ｂ”であり、信号局γのポイントコードは“ｃ”である。ＳＳ７網ＡとＳＳ７網Ｂとを接続する関門信号中継装置１０のポイントコードは、ＳＳ７網Ａにおいては、”Ｇ”であり、ＳＳ７網Ｂにおいては、”ｇ”である。
【０００６】
図２に、データリンク層レベルから見たＳＳ７網Ａの網構成を示す。図示するように、ＳＳ７網Ａにおいては、ポイントコードが“Ａ”の交換機αと、ポイントコードが“Ｇ”の関門信号中継装置１０とが認識される。図３に、データリンク層レベルから見たＳＳ７網Ｂの網構成を示す。図示するように、ＳＳ７網Ｂにおいては、ポイントコードが“ｂ”の交換機βと、ポイントコードが“ｃ”の信号局γと、ポイントコードが“ｇ”の関門信号中継装置１０とが認識される。
【０００７】
図４に、ＳＳ７網Ｂ内に存在する交換機βと、信号局γとの間でリンク障害が発生した場合のシーケンス図を示す。図示するように、信号局γで障害が発生すると、交換機βにてリンク障害が検出される。交換機βは、発信元ポイントコード（ＯＰＣ：Ｏｒｉｇｉｎａｔｉｏｎ  Ｐｏｉｎｔ  Ｃｏｄｅ）を”ｂ”とし、宛先ポイントコードを“ｇ”とし、対象ポイントコードを“ｃ”とするＴＦＰ信号を生成し、隣接局である関門信号中継装置１０へ送信する。しかし、このＴＦＰ信号は、他網であるＳＳ７網Ａに存在する交換機αへ伝達されることは無い。そのため、ＳＳ７網Ａからは、ＳＳ７網Ｂの信号局γが障害状態であることを認知することができず、交換機βからＴＦＰ信号が流された後にも拘わらず、ＳＳ７網ＡからＳＳ７網Ｂの信号局γへ向けて、無効なＳＳ７メッセージ信号が発信されることを抑止することができない。
【０００８】
特開平３−２７８６３５号公報（特許文献１参照）には、「Ｎｏ．７共通線信号方式の信号ルート管理方法」の発明が記載されている。この発明においては、信号トランスレータに記憶エリアを有する。信号トランスレータは、Ｎｏ．７共通線信号方式の信号網内の中継局ごとに設けられ信号ルートの選択情報から使用する信号リンク群を求める。記憶エリアは、受信局側から発信局側に送出する前記信号ルートの状態情報を前記信号リンク群対応に記憶する。
【０００９】
特開平８−２０４８１９号公報（特許文献２参照）には、「呼処理データベースの制御方法」の発明が記載されている。この発明においては、通信システムに、呼処理に必要な加入者データを集中的に蓄積する呼処理データベースを有する網サービス制御局を設ける。この通信システムは、加入者端末からの所定のサービス呼に応じて交換局から網サービス制御局に対して問合せを行い、得られた接続情報に応じて呼制御を実施する。ホスト網サービス制御局は、呼処理に必要な加入者データを有し、通常時には交換局からの問合せに応じて前記加入者データを参照し、所定の接続情報を通知する。１つ以上のメイト網サービス制御局は、前記加入者データと同一の加入者データを有し、ホスト網サービス制御局に障害が発生した場合には、交換局からの問合せに応じて自己の加入者データを参照し、所定の接続情報を通知する。交換局は、ホスト網サービス制御局に対応する迂回先として所定のメイト網サービス制御局が設定された迂回テーブルを有し、ホスト網サービス制御局への問合せが禁止されている場合には、前記迂回テーブルで迂回先として設定されている所定のメイト網サービス制御局に対して問合せを行う。各メイト網サービス制御局は、ホスト網サービス制御局に対応する迂回先として所定のメイト網サービス制御局が設定された迂回テーブルを有し、ホスト網サービス制御局への問合せが禁止されている場合には、迂回されてきた問合せに応じて前記迂回テーブルで迂回先として設定されている所定のメイト網サービス制御局に対して前記問合せを転送し、前記迂回先が自己である場合には自己の加入者テーブルを参照して所定の接続情報を通知する。
【００１０】
特表２０００−５０８４９４号公報（特許文献３参照）には、「アプリケーション層データを含む信号を第１のＮｏ．７信号方式（ＳＳ７）網と第２のＳＳ７網との間で通信するシステム」の発明が記載されている。前記第１のＳＳ７網および前記第２のＳＳ７網はインコンパチブルである。前記システムは、  前記第１のＳＳ７網を前記第２のＳＳ７網に接続する信号中継点（ＳＴＰ）関門を含む。前記ＳＴＰは、  信号接続制御部（ＳＣＣＰ）層モジュール、および、  前記ＳＣＣＰ層モジュールとインターフェイスされた変換モジュールを含む。前記変換モジュールは、  前記ＳＳ７網の一つから前記信号を受信し、  前記ＳＳ７網の前記一つから受信された前記信号内のアドレッシングデータを他のＳＳ７網が認識できるように変換する。特許文献３の１３頁１４行〜２０行に記載されているグローバルタイトルトランスレーションについての説明や、特許文献３の図５に記載されているコンバータがＳＣＣＰの上位に位置することからも分かるように、特許文献３は、ＳＣＣＰ／ＩＳＵＰ／ＴＵＰといったユーザ部を含んだＳＳ７メッセージ信号を転送するもので、ＳＣＣＰ等に載るアドレス情報を用いてパラメータ変換を行う発明である。
【００１１】
【特許文献１】特開平３−２７８６３５号公報
【特許文献２】特開平８−２０４８１９号公報
【特許文献３】特表２０００−５０８４９４号公報
【発明の開示】
【発明が解決しようとする課題】
【００１２】
本発明の課題は、一方のＳＳ７網から他方のＳＳ７網へ、網管理信号を転送することを可能にすることである。
【課題を解決するための手段】
【００１３】
本発明による異網間における網管理信号転送方式の一つのアスペクトにおいては、第一のＳＳ７網に属する第一の交換機と、第二のＳＳ７網に属する第二の交換機と、前記第一のＳＳ７網と、前記第二のＳＳ７網とを接続する関門信号中継装置とを具備する。前記第一の交換機は、第一のＳＳ７網において使用される実体ポイントコードと、前記第二のＳＳ７網において使用される仮想ポイントコードとを有する。前記第二の交換機は、前記第二のＳＳ７網において使用される実体ポイントコードと、前記第一のＳＳ７網において使用される仮想ポイントコードとを有する。
【００１４】
本発明による異網間における網管理信号転送方法の一つのアスペクトにおいては、第一のＳＳ７網に属する第一の交換機に、前記第一のＳＳ７網において使用される実体ポイントコードを割り当てる。前記第一の交換機に、第二のＳＳ７網において使用される仮想ポイントコードを割り当てる。前記第二のＳＳ７網に属する第二の交換機から前記第一の交換機へ、宛先として、前記仮想ポイントコードを使用して、前記網管理信号を発信する。前記第一のＳＳ７網と、前記第二のＳＳ７網との関門において、前記網管理信号の宛先として使用された前記第一の交換機の前記仮想ポイントコードを、前記第一の交換機の前記実体ポイントコードに変換する。宛先として、前記実体ポイントコードを使用して、前記網管理信号を、前記第一のＳＳ７網において転送する。
【００１５】
本発明による関門信号中継装置の一つのアスペクトにおいては、第一のＳＳ７網における第一のプロトコルに従って、データリンク層レベルの通信処理を行う第一のプロトコル処理部と、第二のＳＳ７網における第二のプロトコルに従って、データリンク層レベルの通信処理を行う第二のプロトコル処理部と、データリンク層レベルにおいて使用されるポイントコードの変換を行う信号変換処理部とを具備する。前記信号変換処理部は、網管理信号の通信処理を行った前記第一のプロトコル処理部から、前記網管理信号を受信する受信部と、前記網管理信号の宛先が、前記第二のＳＳ７網に属する交換機であった場合に、前記網管理信号の宛先として使用されている仮想ポイントコードを、実体ポイントコードに変換するポイントコード変換部と、ポイントコードの変換を行った前記網管理信号を、前記第二のプロトコル処理部へ送信する送信部とを有する。
【発明の効果】
【００１６】
本発明によれば、一方のＳＳ７網から他方のＳＳ７網へ、網管理信号を転送することができる。
【発明を実施するための最良の形態】
【００１７】
図５は、本発明による異網間における網管理信号転送方式の実施例を示す図である。図５において、交換機２１は、ＳＳ７網２０に属する。交換機２６は、ＳＳ７網２５に属する。関門信号中継装置２４は、ＳＳ７網２０と、ＳＳ７網２５とを接続する。交換機２１は、ＳＳ７網２０において使用される実体ポイントコード２２と、ＳＳ７網２５において使用される仮想ポイントコード２３とを有する。交換機２６は、ＳＳ７網２５において使用される実体ポイントコード２７と、ＳＳ７網２０において使用される仮想ポイントコード２８とを有する。
【００１８】
図６は、本発明による異網間における網管理信号転送方法の実施例を示す図である。図６においては、第一のＳＳ７網に属する第一の交換機に、前記第一のＳＳ７網において使用される実体ポイントコードを割り当てると共に、前記第一の交換機に、第二のＳＳ７網において使用される仮想ポイントコードを割り当てる（Ｓ２０）。前記第二のＳＳ７網に属する第二の交換機から前記第一の交換機へ、宛先として、前記仮想ポイントコードを使用して、前記網管理信号を発信する（Ｓ２１）。前記第一のＳＳ７網と、前記第二のＳＳ７網との関門において、前記第一の交換機の前記仮想ポイントコードを、前記第一の交換機の前記実体ポイントコードに変換する（Ｓ２２）。宛先として、前記実体ポイントコードを使用して、前記網管理信号を、前記第一のＳＳ７網において転送する（Ｓ２３）。
【００１９】
図７は、本発明による関門信号中継装置の実施例を示す図である。図７において、プロトコル処理部３８は、ＳＳ７網３１における第一のプロトコルに従って、データリンク層の通信処理を行う。プロトコル処理部３７は、ＳＳ７網３０における第二のプロトコルに従って、データリンク層の通信処理を行う。信号変換処理部３３は、データリンク層レベルにおいて使用されるポイントコードの変換を行う。信号変換処理部３３においては、受信部３６は、網管理信号４０の通信処理を行ったプロトコル処理部３８から、網管理信号を受信する。ポイントコード変換部３４は、網管理信号の宛先が、ＳＳ７網３０に属する交換機であった場合に、網管理信号の宛先として使用されている仮想ポイントコード４１を、実体ポイントコード４３に変換する。送信部３５は、ポイントコードの変換を行った網管理信号を、プロトコル処理部３７へ送信する。関門信号中継装置３２からＳＳ７網３０へ、宛先を実体ポイントコード４３とした網管理信号４２が送出される。
【００２０】
図８〜図１２に説明する実施例では、異なるＳＳ７網を接続する関門信号中継装置にて、一方のＳＳ７網で生成された網管理信号を、他方のＳＳ７網へ転送するための機能を提供する。これにより、ＳＳ７網の違いを意識せずに、網管理する手法が実現される。以下、理解を容易にするために、図１に示したＳＳ７網ＡとＳＳ７網Ｂとを接続するネットワークと対比可能なように、本発明の実施例について詳述する。
【００２１】
図８〜図１２に説明する実施例では、ＳＳ７網Ａの交換機αが、ＳＳ７網Ｂの交換機β及び信号局γを、データリンク層レベルで認識することができるように、ＳＳ７網Ｂの交換機β及び信号局γに対して、ＳＳ７網Ａ内仮想ポイントコードを割り当てる。そして、ＳＳ７網Ｂの交換機β及び信号局γを有する仮想ＳＳ７網Ａを構築する。図８は、ＳＳ７網Ａの仮想網説明図である。図示するように、ＳＳ７網Ｂの交換機βには、ＳＳ７網Ａ内仮想ポイントコードとして、“Ｂ”が割り当てられている。また、ＳＳ７網Ｂの信号局γには、ＳＳ７網Ａ内仮想ポイントコードとして、“Ｃ”が割り当てられている。これらの仮想ポイントコードを用いて、ＳＳ７網Ａの交換機αは、網管理信号を、ＳＳ７網Ｂの交換機β及び信号局γへ通知することが可能になる。
【００２２】
同様に、本実施例では、ＳＳ７網Ｂの交換機β及び信号局γが、ＳＳ７網Ａの交換機αを、データリンク層レベルで認識することができるように、ＳＳ７網Ａの交換機αに対して、ＳＳ７網Ｂ内仮想ポイントコードを割り当てる。そして、ＳＳ７網Ａの交換機αを有する仮想ＳＳ７網Ｂを構築する。図９は、ＳＳ７網Ｂの仮想網説明図である。図示するように、ＳＳ７網Ａの交換機αには、ＳＳ７網Ｂ内仮想ポイントコードとして、“ａ”が割り当てられている。この仮想ポイントコードを用いて、ＳＳ７網Ｂの交換機β及び信号局γは、網管理信号を、ＳＳ７網Ａの交換機αへ通知することが可能になる。
【００２３】
図１０は、関門信号中継装置１５によって参照されるポイントコード変換テーブルの内容を説明する図である。図１０において、ポイントコード変換テーブル１１は、任意数のレコードから成るデータベースであり、変換対象ＰＣフィールド１２と、実体ＰＣフィールド１３と、実網プロトコル種別フィールド１４とを有している。変換対象ＰＣフィールド１２は、ポイントコード変換テーブル１１のキーであり、網管理信号における宛先ポイントコードと一致するものがあるか否かが検索される。実体ＰＣフィールド１３は、変換対象ＰＣフィールド１２のポイントコードと、網管理信号における宛先ポイントコードとが一致した場合に参照され、仮想ポイントコードを置換する実体ポイントコードを保持している。実網プロトコル種別フィールド１４も、変換対象ＰＣフィールド１２のポイントコードと、網管理信号における宛先ポイントコードとが一致した場合に参照され、転送先のＳＳ７網におけるプロトコル種別を保持している。
【００２４】
図８及び図９に示した関門信号中継装置１５には、図１０に示したポイントコード変換テーブル１１が実装されている。関門信号中継装置１５は、このポイントコード変換テーブル１１を参照することによって、網管理信号を、ＳＳ７網ＡからＳＳ７網Ｂへ転送し、かつ、ＳＳ７網ＢからＳＳ７網Ａへ転送する。
【００２５】
図１１に、ＳＳ７網Ｂ内に存在する交換機βと、信号局γとの間でリンク障害が発生した場合のシーケンス図を示す。図示するように、信号局γで障害が発生すると、交換機βは、信号局γ−交換機β間のリンク障害を検出する。リンク障害を検出すると、交換機βは、交換機αへ通知する網管理信号を生成する。ここでは、ＯＰＣを“ｂ”とし、ＤＰＣを“ａ”とし、対象ＰＣを“ｃ”とするＴＦＰ信号を生成し、隣接局である関門信号中継装置１５へ送信する。
【００２６】
関門信号中継装置１５には、データリンク層の通信処理を行うＭＴＰ部から網管理信号を受け取る信号変換処理部１６と、図１０のポイントコード変換テーブル１１とが実装されている。信号変換処理部１６は、ポイントコード変換テーブル１１を参照すると共に、データリンク層で処理される網管理信号に変換処理を加える機能を有している。関門信号中継装置１５は、交換機βからＴＦＰ信号を受信すると、信号変換処理部１６にてＴＦＰ信号の解析を行う。
【００２７】
信号変換処理部１６は、ポイントコード変換テーブル１１を参照して、ＴＦＰ信号における宛先ポイントコードの検索を行う。信号変換処理部１６は、ポイントコード変換テーブル１１における変換対象ＰＣフィールド１２を調べ、ＴＦＰ信号における宛先ポイントコード“ａ”が記録されているレコードを検索する（Ｓ１０）。ここでは、変換対象ＰＣフィールド１２が”ａ”である第一番目のレコードがヒットする。信号変換処理部１６は、ヒットした第一番目のレコードにおける実体ＰＣフィールド１３を参照して、実体ポイントコード“Ａ”を取得する。そして、ＴＦＰ信号におけるＤＰＣを、“ａ”から“Ａ”へ変換する（Ｓ１１）。
【００２８】
続いて、信号変換処理部１６は、さらにポイントコード変換テーブル１１を参照して、ＴＦＰ信号におけるＯＰＣの“ｂ”及び対象ＰＣの“ｃ”についても変換を行なう。信号変換処理部１６は、実体ＰＣフィールド１３が“ｂ”のレコードと、“ｃ”のレコードとを検索する。そして、実体ＰＣフィールド１３が“ｂ”である第二番目のレコードに基づいて、ＴＦＰ信号におけるＯＰＣを、“ｂ”から“Ｂ”へ変換する。同様に、実体ＰＣフィールド１３が“ｃ”である第三番目のレコードに基づいて、ＴＦＰ信号における対象ＰＣを、“ｃ”から“Ｃ”へ変換する。以上のポイントコードの変換によって、ＯＰＣが“Ｂ”であり、ＤＰＣが“Ａ”であり、対象ＰＣが“Ｃ”であるＴＦＰ信号が生成される。
【００２９】
また、信号変換処理部１６は、ＤＰＣ検索結果から、ポイントコード変換テーブル１１の第一番目のレコードに基づいて、実網プロトコル種別フィールド１４にある“ＳＳ７網Ａプロトコル”を取得する。そして、信号変換処理部１６は、ポイントコードの変換を行ったＴＦＰ信号を、“ＳＳ７網Ａプロトコル”に準拠して、データリンク層の通信処理を行うＭＴＰ部へ送信する（Ｓ１２）。“ＳＳ７網Ａプロトコル”に準拠したＭＴＰ部は、“ＳＳ７網Ａプロトコル”に準拠したＴＦＰ信号を生成する。そして、“ＳＳ７網Ａプロトコル”に準拠したＴＦＰ信号を、ＳＳ７網Ａへ発信する。
【００３０】
関門信号中継装置１５は、ＴＦＰ信号におけるＤＰＣが“Ａ”であるので、変換したＴＦＰ信号を交換機αへ送信する。交換機αは、ＴＦＰ信号を受信する。ＴＦＰ信号を受信すると、交換機αは、そのＯＰＣ及び対象ＰＣを取得する。ＴＦＰ信号におけるＯＰＣが“Ｂ”であることから、交換機αは、交換機βが発信元であることが分かる。また、ＴＦＰ信号における対象ＰＣが“Ｃ”であることから、交換機αは、信号局γが障害状態であることが分かる。従って、交換機αは、障害状態であるＳＳ７網Ｂ向けの対地に対するＳＳ７メッセージ信号を発信することを規制することができる。
【００３１】
図１２は、各装置のプロトコルスタックと、ＴＦＰ信号の経路を説明する図である。図１２に示すように、本実施例においては、交換機αと、関門信号中継装置１５と、交換機βと、信号局γとは、それぞれデータリンク層の通信処理を行うプロトコル処理部として、３つのレイヤーからなるＭＴＰ部を有している。すなわち、当実施例においては、ＳＴＭのプロトコルスタックを実装している。交換機αのＭＴＰ部は、ＳＳ７網Ａにおける［ＭＴＰレイヤー１］プロトコルに従って通信処理を行う［ＭＴＰ１］部と、［ＭＴＰレイヤー２］プロトコルに従って通信処理を行う［ＭＴＰ２］部と、［ＭＴＰレイヤー３］プロトコルに従って通信処理を行う［ＭＴＰ３］部とを有している。また、関門信号中継装置１５のＭＴＰ部は、ＳＳ７網Ａにおける［ＭＴＰレイヤー１］プロトコルに従って通信処理を行う［ＭＴＰ１］部と、［ＭＴＰレイヤー２］プロトコルに従って通信処理を行う［ＭＴＰ２］部と、［ＭＴＰレイヤー３］プロトコルに従って通信処理を行う［ＭＴＰ３］部とを有し、かつ、ＳＳ７網Ｂにおける［ＭＴＰレイヤー１］プロトコルに従って通信処理を行う［ＭＴＰ１］部と、［ＭＴＰレイヤー２］プロトコルに従って通信処理を行う［ＭＴＰ２］部と、［ＭＴＰレイヤー３］プロトコルに従って通信処理を行う［ＭＴＰ３］部とを有している。また、交換機βと信号局γのＭＴＰ部は、それぞれ、ＳＳ７網Ｂにおける［ＭＴＰレイヤー１］プロトコルに従って通信処理を行う［ＭＴＰ１］部と、［ＭＴＰレイヤー２］プロトコルに従って通信処理を行う［ＭＴＰ２］部と、［ＭＴＰレイヤー３］プロトコルに従って通信処理を行う［ＭＴＰ３］部とを有している。さらに、関門信号中継装置１５には、データリンク層に属するＭＴＰ部と、網管理信号を授受する信号処理部１６が実装されている。
【００３２】
図１２に示すように、交換機βは、信号局γとのリンク障害を検出すると、ＴＦＰ信号を生成する。このＴＦＰ信号は、ＳＳ７網Ｂを通して、交換機βから関門信号中継装置１５へ通知される。関門信号中継装置１５は、ＴＦＰ信号を受信する。ＴＦＰ信号を受信すると、関門信号中継装置１５は、ＴＦＰ信号をＭＴＰ部にて処理する。ＭＴＰ部は、処理したＴＦＰ信号を上位のアプリケーションである信号変換処理部１６へ送出する。信号変換処理部１６は、ＳＳ７網Ｂから受け取ったＴＦＰ信号を分析し、このＴＦＰ信号を転送する必要のあるＳＳ７網を識別する。
【００３３】
関門信号中継装置１５は、ＳＳ７網Ａのプロトコルに応じた［ＭＴＰ１］部、［ＭＴＰ２］部、［ＭＴＰ３］部からなるＭＴＰ部を実装し、かつ、ＳＳ７網Ｂのプロトコルに応じた［ＭＴＰ１］部、［ＭＴＰ２］部、［ＭＴＰ３］部からなるＭＴＰ部を実装している。これらは、信号変換処理部１６に対して、網管理信号の受信を伝達し、また、網管理信号の送信を指示するためのＡＰＩ（Ａｐｐｌｉｃａｔｉｏｎ  Ｉｎｔｅｒｆａｃｅ）を持つ。信号変換処理部１６は、ＳＳ７網Ａのプロトコルに応じた［ＭＴＰ１］部、［ＭＴＰ２］部、［ＭＴＰ３］部が提供するＡＰＩを通して、ＴＦＰ信号の転送先となるＳＳ７網Ａのポイントコードを指定して、新たにＴＦＰ信号を作成し直して送信する。このＴＦＰ信号は、関門信号中継装置１５から、ＳＳ７網Ａを通じて、交換機αへ通知される。交換機αは、ＴＦＰ信号を受信する。交換機αは、ＳＳ７網Ｂで発生した信号局γの障害を、あたかも、ＳＳ７網Ａで発生した障害であるかのように検知する。信号局γの障害を検知した交換機αは、以降、ＳＳ７メッセージ信号を、障害状態にある信号局γへ向けて発信することを止める。従って、ＳＳ７網ＡからＳＳ７網Ｂ向けの対地に対する不要なＳＳ７メッセージ信号の発信及び転送を規制することが可能となる。
【００３４】
図１２では、ＳＴＭのプロトコルスタック（ＭＴＰ３／ＭＴＰ２／ＭＴＰ１）を例示したが、本発明は、ＡＴＭ（Ａｓｙｎｃｈｒｏｎｏｕｓ  Ｔｒａｎｓｆｅｒ  Ｍｏｄｅ）のプロトコルスタック（ＭＴＰ３／ＳＳＣＦ（Ｓｅｒｖｉｃｅ  Ｓｐｅｃｉｆｉｃ  Ｃｏｏｒｄｉｎａｔｉｏｎ  Ｆｕｎｃｔｉｏｎ）／ＳＳＣＯＰ（Ｓｅｒｖｉｃｅ  Ｓｐｅｃｉｆｉｃ  Ｃｏｎｎｅｃｔｉｏｎ  Ｏｒｉｅｎｔｅｄ  Ｐｒｏｔｏｃｏｌ）／ＡＡＬ（ＡＴＭ  Ａｄａｐｔａｔｉｏｎ  Ｌａｙｅｒ））であっても、その他のプロトコルスタックであっても適用可能である。
【００３５】
本実施例で説明した関門信号中継装置１５は、異なるキャリア間に設けられる関門信号中継装置や、国内ＳＳ７網と国際ＳＳ７網とを相互接続する関門信号中継装置に適用可能である。
【００３６】
以上、説明を簡素化するために、２つのＳＳ７網を接続する実施例を示したが、本発明は、３つ以上のＳＳ７網の接続においても適用可能である。例えば、３つのＳＳ７網を接続する場合には、各装置に、１つの実体ポイントコードと、２つの仮想ポイントコードとを割り当てればよい。
【００３７】
上述した実施例によれば、以下に記載するような効果を奏する。第１の効果は、関門信号中継装置が網管理信号を一度終端し、信号変換処理部にて信号内容を分析して、新たに網管理信号を生成し直すことにより、各網内の交換機が他網の交換機に対して網管理信号を転送することが可能となることである。第２の効果は、関門信号中継装置が各網の交換機に割り当てられたポイントコードを変換するテーブルを持つことにより、各網内の交換機が、他網の交換機を自網の交換機と同様に認識することが可能となることである。
【図面の簡単な説明】
【００３８】
【図１】図１は、ＳＳ７網Ａと、ＳＳ７網Ｂとを関門信号中継装置１０で接続したネットワークを示す図である。
【図２】図２は、データリンク層レベルから見たＳＳ７網Ａの網構成を示す図である。
【図３】図３は、データリンク層レベルから見たＳＳ７網Ｂの網構成を示す図である。
【図４】図４は、ＳＳ７網Ｂ内に存在する交換機βと、信号局γとの間でリンク障害が発生した場合のシーケンス図である。
【図５】図５は、本発明による異網間における網管理信号転送方式の実施例を示す図である。
【図６】図６は、本発明による異網間における網管理信号転送方法の実施例を示す図である。
【図７】図７は、本発明による関門信号中継装置の実施例を示す図である。
【図８】図８は、ＳＳ７網Ａの仮想網説明図である。
【図９】図９は、ＳＳ７網Ｂの仮想網説明図である。
【図１０】図１０は、関門信号中継装置１５によって参照されるポイントコード変換テーブルの内容を説明する図である。
【図１１】図１１は、ＳＳ７網Ｂ内に存在する交換機βと、信号局γとの間でリンク障害が発生した場合のシーケンス図である。
【図１２】図１２は、各装置のプロトコルスタックと、ＴＦＰ信号の経路を説明する図である。
【符号の説明】
【００３９】
１０，１５，２４，３２  関門信号中継装置
１１  ポイントコード変換テーブル
１２  変換対象ＰＣフィールド
１３  実体ＰＣフィールド
１４  実網プロトコル種別フィールド
１６，３３  信号変換処理部
２０，２５，３０，３１  ＳＳ７網
２１，２６  交換機
２２，２７，４３  実体ポイントコード
２３，２８，４１  仮想ポイントコード
３４  ポイントコード変換部
３５  送信部
３６  受信部
３７，３８  プロトコル処理部
４０，４２  網管理信号
【図１】
2008301398.tif 000003
【図２】
2008301398.tif 000004
【図３】
2008301398.tif 000005
【図４】
2008301398.tif 000006
【図５】
2008301398.tif 000007
【図６】
2008301398.tif 000008
【図７】
2008301398.tif 000009
【図８】
2008301398.tif 000010
【図９】
2008301398.tif 000011
【図１０】
2008301398.tif 000012
【図１１】
2008301398.tif 000013
【図１２】
2008301398.tif 000014